(57)【要約】  内視鏡装置は、第１画像領域１０１と、第２画像領域１１１とを配置可能である表示部１４と、指示入力部１４ｂに対して第１操作方法によって指示入力があったとき、指示入力に基づき、第１画像領域１０１に対する表示状態の変更を行う第１表示変更制御をし、指示入力部１４ｂに対して第２操作方法によって指示入力があったとき、指示入力に基づき、第２画像領域１１１に対する表示状態の変更を行う第２表示変更制御をする制御部１２と、を有する。
2017038321.tif 000002
【特許請求の範囲】
【請求項１】
第１画像領域と、第２画像領域とを配置可能である表示部と、
指示入力部に対して第１操作方法によって指示入力があったとき、前記指示入力に基づき、前記第１画像領域に対する表示状態の変更を行う第１表示変更制御をし、前記指示入力部に対して第２操作方法によって指示入力があったとき、前記指示入力に基づき、前記第２画像領域に対する表示状態の変更を行う第２表示変更制御をする制御部と、
を有する、
ことを特徴とする内視鏡装置。
【請求項２】
被検体を撮像する撮像部を有し、
前記撮像部の出力に基づいて内視鏡画像を生成可能である、
ことを特徴とする請求項１に記載の内視鏡装置。
【請求項３】
前記表示部は、前記第２画像領域を、前記第１画像領域の全部又は一部に重畳配置可能である、
ことを特徴とする請求項１に記載の内視鏡装置。
【請求項４】
前記表示部は、前記第１画像領域を透過させて前記第２画像領域を表示可能である、
ことを特徴とする請求項１に記載の内視鏡装置。
【請求項５】
前記表示部は、前記第１画像領域と、前記第２画像領域とを、互いに隣り合う位置に配置可能である、
ことを特徴とする請求項１に記載の内視鏡装置。
【請求項６】
前記制御部は、
前記第１画像領域に対して前記第１表示変更制御をしているとき、前記第１表示変更制御の対象が前記第１画像領域であることと、前記第１画像領域の移動方向とを示すマーク画像を表示し、
前記第２画像領域に対して前記第２表示変更制御をしているとき、前記第２表示変更制御の対象が前記第２画像領域であることと、前記第２画像領域の移動方向とを示す前記マーク画像を表示する、
ことを特徴とする請求項１に記載の内視鏡装置。
【請求項７】
前記制御部は、前記第１操作方法による前記指示入力に基づき前記第１表示変更制御する画像領域と、前記第２操作方法による前記指示入力に基づき前記第２表示変更制御する画像領域とを入れ替え可能に構成され、
前記制御部は、前記入れ替えがされることにより、前記指示入力部に対して前記第１操作方法による前記指示入力があったとき、前記指示入力に基づき、前記第２画像領域に対して前記第２表示変更制御をし、前記指示入力部に対して前記第２操作方法によって前記指示入力があったとき、前記指示入力に基づき、前記第１画像領域に対して前記第１表示変更制御をすることが可能である、
ことを特徴とする請求項１に記載の内視鏡装置。
【請求項８】
前記第１画像領域は、前記内視鏡画像を表示する領域であり、
前記第２画像領域は、計測点を指定するためのカーソルと、前記内視鏡画像の部分拡大画像とを有して構成され、前記第１画像領域の一部に重畳配置される領域であり、
前記第１表示変更制御は、前記第１画像領域において、前記第２画像領域を移動させる表示変更制御であり、
前記第２表示変更制御は、前記第２画像領域において、前記カーソルを移動させる表示変更制御である、
ことを特徴とする請求項２に記載の内視鏡装置。
【請求項９】
前記撮像部は、パン・チルト動作可能である挿入部を有して構成され、
前記第１画像領域は、前記内視鏡画像を表示するライブ画像領域であり、
前記第２画像領域は、前記内視鏡画像の再生画像を表示する再生画像領域であり、
前記第１表示変更制御は、前記挿入部をパン・チルト動作させることによる表示変更制御であり、
前記第２表示変更制御は、前記再生画像領域をパン方向又はチルト方向へ移動させる表示変更制御である、
ことを特徴とする請求項２に記載の内視鏡装置。
【請求項１０】
前記指示入力部は、タッチパネルにより構成され、
前記第１操作方法は、前記タッチパネル上における操作開始位置から操作終了位置までの距離が所定距離以上である操作方法であり、
前記第２操作方法は、前記タッチパネル上における前記操作開始位置から前記操作終了位置までの距離が前記所定距離未満である操作方法である、
ことを特徴とする請求項１に記載の内視鏡装置。
【請求項１１】
前記第１操作方法は、前記タッチパネル上の操作であり、
前記第２操作方法は、前記タッチパネル上のタップ操作である、
ことを特徴とする請求項１０に記載の内視鏡装置。
【請求項１２】
前記指示入力部は、ジョイスティックにより構成され、
前記第１操作方法は、前記ジョイスティックの１回あたりの傾倒時間が所定時間以上である操作方法であり、
前記第２操作方法は、前記ジョイスティックの１回あたりの傾倒時間が前記所定時間未満である操作方法である、
ことを特徴とする請求項１に記載の内視鏡装置。
【請求項１３】
第１画像領域と、第２画像領域とを表示部に配置し、
指示入力部に対して第１操作方法によって指示入力があったとき、前記指示入力に基づき、前記第１画像領域に対する表示状態の変更を行う第１表示変更制御をし、前記指示入力部に対して第２操作方法によって指示入力があったとき、前記指示入力に基づき、前記第２画像領域に対する表示状態の変更を行う第２表示変更制御をする、
ことを特徴とする内視鏡装置の表示変更制御方法。
【発明の詳細な説明】
【技術分野】
【０００１】
本発明は、内視鏡装置及び内視鏡装置の表示変更制御方法に関する。
【背景技術】
【０００２】
従来、撮像対象物に挿入部を挿入して被検体を撮像し、撮像画像を表示部に表示させる内視鏡装置がある。【０００３】
また、特開２０１４−６４８１号公報に開示されるように、タッチパネル上のドラッグ操作によって地図上の大まかな表示位置を調整し、操作用画像である縦軸及び横軸スライダーのスライド操作によって地図上のユーザ位置を微調整する、情報処理装置のユーザインターフェースが提案されている。【０００４】
しかしながら、従来のユーザインターフェースが内視鏡装置に適用される場合、縦軸及び横軸スライダー等の操作用画像が表示される分だけ内視鏡画像は小さくなり、内視鏡画像の画角は狭くなる。【０００５】
また、従来のユーザインターフェースは、特に、携帯可能である小さな表示部を有する内視鏡装置に適用される場合には、手指の大きさに対して表示部に表示される操作用画像が小さくなり、手指による操作は難しくなる。【０００６】
そこで、本発明は、少なくとも１つの内視鏡画像を表示する複数の画像領域が表示部に配置され、画像領域に応じた所定の操作方法によって指示入力部に対して指示入力が可能であり、指示入力に応じた画像領域の表示変更制御が可能である内視鏡装置及び内視鏡装置の表示変更制御方法を提供することを目的とする。
【発明の開示】
【課題を解決するための手段】
【０００７】
本発明の一態様の内視鏡装置は、第１画像領域と、第２画像領域とを配置可能である表示部と、指示入力部に対して第１操作方法によって指示入力があったとき、前記指示入力に基づき、前記第１画像領域に対する表示状態の変更を行う第１表示変更制御をし、前記指示入力部に対して第２操作方法によって指示入力があったとき、前記指示入力に基づき、前記第２画像領域に対する表示状態の変更を行う第２表示変更制御をする制御部と、を有する。【０００８】
本発明の一態様の内視鏡装置の表示変更制御方法は、第１画像領域と、第２画像領域とを表示部に配置し、指示入力部に対して第１操作方法によって指示入力があったとき、前記指示入力に基づき、前記第１画像領域に対する表示状態の変更を行う第１表示変更制御をし、前記指示入力部に対して第２操作方法によって指示入力があったとき、前記指示入力に基づき、前記第２画像領域に対する表示状態の変更を行う第２表示変更制御をする。
【図面の簡単な説明】
【０００９】
【図１】本発明の第１の実施形態に係わる、内視鏡装置の構成を示すブロック図である。
【図２】本発明の第１の実施形態に係わる、内視鏡装置における計測画像領域の例を示す図である。
【図３】本発明の第１の実施形態に係わる、内視鏡装置における計測画像領域にズーム画像領域を重ねて表示させた例を示す図である。
【図４】本発明の第１の実施形態に係わる、内視鏡装置における計測画像領域とズーム画像領域を用いる計測処理の流れの例を示すフローチャートである。
【図５】本発明の第１の実施形態に係わる、内視鏡装置におけるドラッグ操作を説明する説明図である。
【図６】本発明の第１の実施形態に係わる、内視鏡装置におけるタップ操作を説明する説明図である。
【図７】本発明の第１の実施形態に係わる、内視鏡装置におけるズーム画像領域を移動させた状態の例を示す図である。
【図８】本発明の第１の実施形態の変形例に係わる、内視鏡装置におけるステレオ計測処理の例を説明する説明図である。
【図９】本発明の第２の実施形態に係わる、内視鏡装置における比較観察処理の例を説明する説明図である。
【図１０】本発明の第２の実施形態に係わる、内視鏡装置における比較観察処理の流れの例を示すフローチャートである。
【図１１】本発明の第２の実施形態の変形例１に係わる、内視鏡装置における、制御対象画像領域と、移動方向とを示す移動表示画像を表示させた例を示す図である。
【図１２】本発明の第２の実施形態の変形例２に係わる、内視鏡装置におけるライブ画像領域と、再生画像領域とを横に並べて配置する例を説明する説明図である。
【図１３】本発明の第２の実施形態の変形例３に係わる、内視鏡装置におけるライブ画像領域と、位置指示マーク画像領域の例を説明する説明図である。
【発明を実施するための最良の形態】
【００１０】
以下、図面を参照して本発明の実施の形態を説明する。【００１１】
（第１の実施形態）
（構成）
図１は、本発明の第１の実施形態に係わる、内視鏡装置１の構成を示すブロック図である。【００１２】
内視鏡装置１は、撮像部である内視鏡２と、内視鏡２が接続される装置本体３とを有して構成される。内視鏡２は、装置本体３に対して着脱可能に構成される。撮像部である内視鏡２は、挿入部２ａの先端に設けられた図示しない観察窓を介して被検体を撮像し、撮像信号を装置本体３に出力可能である。【００１３】
内視鏡２は、パン・チルト動作可能である挿入部２ａを有して構成される。すなわち、挿入部２ａは、湾曲自在である湾曲部２ｂを有する。湾曲部２ｂは、アクチュエータ２ｃに接続される。アクチュエータ２ｃは、後述する装置本体３の制御部１２に接続される。アクチュエータ２ｃが、制御部１２から制御信号を受信すると、アクチュエータ２ｃは、湾曲部２ｂを湾曲動作させ、挿入部２ａをパン方向又はチルト方向に動作可能である。【００１４】
挿入部２ａは、先端に、観察窓を有する光学アダプタ４が取り付けられる。【００１５】
装置本体３は、カメラコントロールユニット（以下、ＣＣＵという）１１と、制御部１２と、映像信号処理回路１３と、タッチパネル１４ｂ付き表示部（以下、表示部と略す）１４と、操作部１５と、ＬＡＮインターフェース（以下、ＬＡＮ−Ｉ／Ｆと略す）１６と、メモリカードインターフェース（以下、メモリカードＩ／Ｆと略す）１７と、ＵＳＢインターフェース（以下、ＵＳＢ−Ｉ／Ｆと略す）１８と、音声信号処理回路１９と、スピーカ２０と、マイク２１とを含んで構成されている。【００１６】
ＣＣＵ１１は、制御部１２の制御の下、内視鏡２の図示しない撮像素子を駆動させると共に、撮像素子から出力される撮像信号を受信して映像信号処理回路１３に出力する。【００１７】
制御部１２は、装置本体３内の各種回路からの信号を受信すると共に、各種回路に対して制御信号を出力する。制御部１２は、中央処理装置（以下、ＣＰＵという）１２ａと、ＲＯＭ１２ｂと、ＲＡＭ１２ｃとを含んで構成される。【００１８】
ＲＯＭ１２ｂには、計測処理プログラム及び比較観察処理等の各種プログラムと、各種設定データとが記憶されている。各種設定データの中には、後述するカーソル移動量ｄａ、ｄｂも含まれる。【００１９】
カーソル移動量ｄａは、後述するドラッグ操作（タッチパネル１４ｂを手指でタッチし、タッチパネル１４ｂ上を手指で滑らせる操作）におけるタッチパネル１４ｂ上の手指の単位移動距離に応じた量である。すなわち、カーソル移動量ｄａは、手指のタッチパネル１４ｂ上の移動距離の関数として規定される。【００２０】
カーソル移動量ｄｂは、後述するタップ操作（タッチパネル１４ｂを手指でタッチし、タッチパネル１４ｂから手指を離す操作）におけるタップ回数に応じた量である。すなわち、カーソル移動量ｄｂは、手指のタッチパネル１４ｂ上のタップ回数の関数として規定される。【００２１】
制御部１２は、指示入力部であるタッチパネル１４ｂに対して第１操作方法であるドラッグ操作によって指示入力があったとき、指示入力に基づき、後述する第１画像領域である計測画像領域１０１に対する表示状態の変更を行う第１表示変更制御として、ズーム画像領域１１１を移動させ、指示入力部であるタッチパネル１４ｂに対して第２操作方法であるタップ操作によって指示入力があったとき、指示入力に基づき、第２画像領域であるズーム画像領域１１１に対する表示状態の変更を行う第２表示変更制御として、カーソル１１２を移動させる。【００２２】
また、制御部１２は、内視鏡２を介する光学アダプタ４の接点の導通状態信号に基づき、光学アダプタ４が内視鏡２の挿入部２ａの先端に装着されたか否かを判定することができる。【００２３】
映像信号処理回路１３は、ＣＣＵ１１からの撮像信号を処理し、内視鏡画像Ｔを生成して表示部１４に出力可能である。映像信号処理回路１３は、制御部１２の制御の下、各種機能に応じた画像処理を実行する。例えば、計測機能が実行されるとき、映像信号処理回路１３は、後述する計測画像領域１０１にズーム画像領域１１１を重畳させて画像信号を生成し、表示部１４に出力する。【００２４】
表示部１４は、液晶表示器（以下「ＬＣＤ」という）１４ａと、指示入力部であるタッチパネル１４ｂを有している。【００２５】
表示部１４のＬＣＤ１４ａには、第１画像領域である計測画像領域１０１と、第２画像領域であるズーム画像領域１１１とが配置される。ＬＣＤ１４ａは、第２画像領域であるズーム画像領域１１１を、第１画像領域である計測画像領域１０１の一部に重畳配置可能である。ＬＣＤ１４ａは、計測画像領域１０１を透過させてズーム画像領域１１１を配置可能である。なお、ＬＣＤ１４ａは、計測画像領域１０１と、ズーム画像領域１１１とを互いに隣り合う位置に配置させることも可能である。【００２６】
指示入力部であるタッチパネル１４ｂは、例えば、静電方式のタッチパネル１４ｂであり、ＬＣＤ１４ａの表示画面上に密着して設けられる。手指をタッチ操作することによるタッチパネル１４ｂからの位置信号は、制御部１２に出力される。【００２７】
指示入力部であるタッチパネル１４ｂは、第１操作方法であるドラッグ操作、又は、第２操作方法であるタップ操作によって、指示入力が可能である。【００２８】
第１操作方法であるドラッグ操作は、タッチパネル１４ｂ上における操作開始位置から操作終了位置までの距離が所定距離以上である、操作方法である。第２操作方法であるタップ操作は、タッチパネル１４ｂ上における操作開始位置から操作終了位置までの距離が所定距離未満である、操作方法である。所定距離は、ドラッグ操作と、タップ操作とを判別できる距離に予め設定される。【００２９】
操作部１５は、フリーズボタン、レリーズボタン、ジョイスティック、ズーム操作ボタン、メニューボタンなどの複数の操作器を有する。【００３０】
ＬＡＮ−Ｉ／Ｆ１６は、ローカルエリアネットワーク（以下、ＬＡＮという）との接続のためのインターフェースである。内視鏡装置１は、ＬＡＮ−Ｉ／Ｆ１６を介してＬＡＮに接続された外部機器と通信を行うことができる。【００３１】
メモリカードＩ／Ｆ１７は、記憶媒体としてのメモリカードを装着するためのインターフェースである。内視鏡装置１は、メモリカードＩ／Ｆ１７を介してメモリカードに対する内視鏡画像Ｔ等の各種データの読込み又は書込みを行うことができる。【００３２】
ＵＳＢ−Ｉ／Ｆ１８は、ＵＳＢ（Ｕｎｉｖｅｒｓａｌ  Ｓｅｒｉａｌ  Ｂｕｓ）ケーブルあるいはＵＳＢ機器を接続するためのインターフェースである。内視鏡装置１は、ＵＳＢ−Ｉ／Ｆ１８を介してＵＳＢ機器に対する内視鏡画像Ｔ等の各種データの読込み又は書込みを行うことができる。【００３３】
音声信号処理回路１９は、制御部１２の制御の下、制御部１２からの音声信号を処理して、スピーカ２０から音声を出力させ、かつマイク２１からの音声信号を処理して制御部１２へ出力する。内視鏡装置１は、各種画像と共に、音声も記録し、再生することができる。【００３４】
検査者であるユーザは、タッチパネル１４ｂ又は操作部１５を操作することにより、内視鏡装置１の各種機能を実行させることができる。制御部１２は、タッチパネル１４ｂ又は操作部１５において指示されたコマンドに応じて、所定のプログラムをＲＯＭ１２ｂから読み出して、ＲＡＭ１２ｃを作業領域として使用しながら実行することにより、計測画像領域１０１と、ズーム画像領域１１１とをＬＣＤ１４ａに配置して内視鏡画像Ｔを表示させたり、得られた内視鏡画像Ｔをメモリカードに記録したりすることができる。さらに、ユーザは、ＬＣＤ１４ａの画面上に表示されたメニュー画面から所望のコマンドを選択して実行を指示することで、内視鏡装置１に、計測機能又は比較観察機能を実行させることもできる。【００３５】
（画像の構成）
次に、計測機能が実行されるときにおける、表示部１４に表示される画像の構成について説明する。【００３６】
図２は、本発明の第１の実施形態に係わる、内視鏡装置１における計測画像領域１０１の例を示す図である。図３は、本発明の第１の実施形態に係わる、内視鏡装置１における計測画像領域１０１にズーム画像領域１１１を重ねて配置させた例を示す図である。【００３７】
図２と図３は、表示部１４に表示されるグラフィカル・ユーザ・インターフェース（以下「ＧＵＩ」という）の例である。【００３８】
図２では、内視鏡画像Ｔとして、欠けＤを有するジェットエンジンのタービンブレードの一部が表されている。【００３９】
図２に示すように、第１画像領域である計測画像領域１０１は、内視鏡２により撮像される内視鏡画像Ｔを表示する領域であり、また、内視鏡画像Ｔにおける計測点を指定するためのカーソル１０２を有して構成される。【００４０】
図２の計測画像領域１０１が表示された状態において、ユーザが、図示しないズームボタンをタッチすると、図３に示すズーム画像領域１１１が表示される。【００４１】
第２画像領域であるズーム画像領域１１１は、計測点を指定するためのカーソル１１２と、内視鏡画像Ｔの部分拡大画像Ｔ１を有する小四角形枠１１３とを有して構成され、第１画像領域である計測画像領域１０１の一部に重畳配置される領域である。ズーム画像領域１１１のカーソル１１２は、計測画像領域１０１のカーソル１０２を隠すように、カーソル１０２と同じ位置に表示される。ズーム画像領域１１１は、小四角形枠１１３内に、カーソル１０２を含む領域を所定の拡大倍率だけ拡大させた内視鏡画像Ｔの部分拡大画像Ｔ１が表示される。所定の拡大倍率は、例えば、２倍から１０倍の範囲のいずれかの倍率である。なお、所定倍率は、図示しないズームボタンにより設定されても構わない。【００４２】
計測画像領域１０１のカーソル１０２、又は、ズーム画像領域１１１のカーソル１１２は、計測点を指定できるように構成される。内視鏡装置１は、２つの計測点が指定されることにより、各計測点間の距離を測定可能である。【００４３】
（作用）
次に、第１の実施形態の内視鏡装置１の作用について説明する。【００４４】
図４は、本発明の第１の実施形態に係わる、内視鏡装置１における計測画像領域１０１とズーム画像領域１１１を用いる計測処理の流れの例を示すフローチャートである。図５は、本発明の第１の実施形態に係わる、内視鏡装置１におけるドラッグ操作を説明する説明図である。図５では、移動前のズーム画像領域１１１ａと、カーソル１１２ａとを実線で表し、移動後の非表示にされたズーム画像領域１１１と、カーソル１１２とを破線で表している。図６は、本発明の第１の実施形態に係わる、内視鏡装置１におけるタップ操作を説明する説明図である。図７は、本発明の第１の実施形態に係わる、内視鏡装置１におけるズーム画像領域１１１を移動させた状態の例を示す図である。【００４５】
図４の計測処理は、操作部１５又はタッチパネル１４ｂから計測処理開始の指示入力があったとき、制御部１２のＣＰＵ１２ａがＲＯＭ１２ｂから計測処理プログラムを読み出して実行することにより、行われる。【００４６】
制御部１２は、計測画像領域１０１を表示する（ステップ（以下「Ｓ」と略す）１）。制御部１２は、映像信号処理回路１３に制御信号を送信する。映像信号処理回路１３は、ＣＣＵ１１から送信される撮像信号から内視鏡画像Ｔを生成し、表示部１４に内視鏡画像Ｔを含む計測画像領域１０１（例えば、図２の計測画像領域１０１）を表示させる。【００４７】
制御部１２は、ズーム画像領域１１１を表示させるか否かを判定する（Ｓ２）。Ｓ２では、図示しないズームボタンがタッチ操作されているか否かを判定する。ズームボタンがタッチされているとき（Ｓ２：ＹＥＳ）、処理はＳ３に進む。一方、ズームボタンがタッチされていないとき（Ｓ２：ＮＯ）、処理はＳ１に戻る。すなわち、ズームボタンがタッチされるまで、Ｓ１とＳ２の処理は繰り返される。なお、図４において記載を省略しているが、Ｓ２の処理が繰り返される間、ユーザは、ドラッグ操作により、計測画像領域１０１のカーソルを移動可能である。なお、ズームボタンは、ズーム画像領域１１１の表示を指示入力可能であると共に、所定の拡大倍率を入力指示可能であってもよい。【００４８】
制御部１２は、ズーム画像領域１１１を表示する（Ｓ３）。Ｓ３では、制御部１２は、映像信号処理回路１３に制御信号を送信する。映像信号処理回路１３は、ズーム画像領域１１１を生成し、ズーム画像領域１１１を計測画像領域１０１に重ね配置し、表示部１４に表示させる。【００４９】
制御部１２は、ＲＯＭ１２ｂから、計測画像領域１０１のカーソル移動量ｄａと、ズーム画像領域１１１のカーソル移動量ｄｂとを読み出す（Ｓ４）。【００５０】
制御部１２は、操作指示があるか否かを判定する（Ｓ５）。操作指示があるとき（Ｓ５：ＹＥＳ）、処理はＳ６に進む。一方、操作指示がないとき（Ｓ５：ＮＯ）、処理はＳ５に戻る。すなわち、タッチパネル１４ｂ上の操作指示があるまでＳ５の処理は繰り返される。【００５１】
制御部１２は、操作指示がドラッグ操作による操作指示であるか否かを判定する（Ｓ６）。Ｓ６では、Ｓ５の操作指示が、ドラッグ操作による操作指示であるか否かを判定し、ドラッグ操作であるとき（Ｓ６：ＹＥＳ）、処理はＳ７に進む。一方、ドラッグ操作ではないとき（Ｓ６：ＮＯ）、処理はＳ８に進む。【００５２】
制御部１２は、計測画像領域１０１のカーソル移動量に基づいて、カーソル１１２を含むズーム画像領域の移動演算処理をする（Ｓ７）。Ｓ７では、ズーム画像領域１１１を非表示にし、ドラッグ操作によって指示される方向に、カーソル移動量ｄａに応じた距離だけ、カーソル１１２を含むズーム画像領域１１１の移動演算処理をする。【００５３】
ドラッグ操作によって指示される方向は、タッチパネル１４ｂ上における、手指Ｈ１ａをタッチさせた位置と、手指を滑らせ、手指Ｈ１を離した位置との差によって定まる方向である。【００５４】
カーソル移動量ｄａに応じた距離は、タッチパネル１４ｂ上における、手指Ｈ１ａをタッチさせた位置と、手指Ｈ１を滑らせ、手指Ｈ１を離した位置との差によって定まる距離である。【００５５】
図５に示すように、例えば、タッチパネル１４ｂ上における手指の動き１ｃｍあたりのカーソル移動量ｄａが１ｃｍに設定されるとき、ユーザが、手指Ｈ１ａによってズーム画像領域１１１ａの下方をタッチし、手指Ｈ１に示すように、そのまま右方向へ５ｃｍだけ滑らせ、タッチパネル１４ｂから手指Ｈ１を離すと、ズーム画像領域１１１ａとカーソル１１２ａは、ドラッグ操作の開始と共に非表示にされ、図５の破線で表されたズーム画像領域１１１とカーソル１１２に示すように、非表示にされたままドラッグ操作の終了と共に右方向へ５ｃｍだけ移動演算処理される。【００５６】
Ｓ７の処理が終了すると、処理はＳ１０に進む。【００５７】
Ｓ６における操作指示がドラッグ操作ではないとき、制御部１２は、タップ操作による操作指示であるか否かを判定する（Ｓ８）。操作指示がタップ操作による操作指示であるとき（Ｓ８：ＹＥＳ）、処理はＳ９に進む。一方、操作指示がタップ操作による操作指示ではないとき（Ｓ８：ＮＯ）、処理はＳ５に戻る。すなわち、Ｓ５におけるタッチパネル１４ｂ上の操作指示がドラッグ操作又はタップ操作のいずれでもないとき、処理はＳ５に戻る。【００５８】
制御部１２は、図７に示すように、ズーム画像領域１１１のカーソル移動量に基づいて、カーソル移動処理をする（Ｓ９）。Ｓ９では、タップ操作によって指示される方向に、カーソル移動量ｄｂに応じた距離だけ、カーソルを移動させる。【００５９】
タップ操作によって指示される方向は、カーソル１１２の位置から、タッチパネル１４ｂ上において手指Ｈ２によってタップされた位置へ向かう方向である。【００６０】
カーソル移動量ｄｂに応じた距離は、タッチパネル１４ｂ上における、手指Ｈ２によってタップされた回数にカーソル移動量ｄｂを乗算することによって定まる距離である。【００６１】
図６に示すように、例えば、タップ１回あたりのカーソル移動量ｄｂが０．１ｃｍに設定されるとき、ユーザが、カーソル１１２の斜め右下において手指Ｈ２によって５回タップすると、カーソル１１２は、図６のカーソル１１２ｂで示すように、０．５ｃｍだけ右下方向へ移動する。【００６２】
Ｓ９の処理が終了すると、処理はＳ１０に進む。【００６３】
制御部１２は、ズーム画像領域１１１の表示範囲を再計算する（Ｓ１０）。Ｓ１０では、移動後のカーソル１１２ｂの位置と、所定の拡大倍率とから、ズーム画像領域１１１に表示させる拡大画像の表示範囲を再計算する。【００６４】
制御部１２は、ズーム画像領域１１１を再表示する（Ｓ１１）。Ｓ７においてズーム画像領域１１１が移動されたとき、又は、Ｓ９において移動されたカーソル１１２ｂの位置がズーム画像領域１１１の中心から所定距離以上離れたとき、制御部１２は、カーソル１１２ｂの位置にズーム画像領域１１１ｂを再表示させる。具体的には、制御部１２は、映像信号処理回路１３に対し、Ｓ１０において再計算された表示範囲の情報を送信する。映像信号処理回路１３は、再計算された表示範囲の情報に基づいて、表示部１４にズーム画像領域１１１ｂを再表示させる。なお、Ｓ９において移動されたカーソル１１２ｂの位置がズーム画像領域１１１の中心から所定距離以上離れていないときは、ズーム画像領域１１１の再表示はされない。【００６５】
所定距離は、例えば、ズーム画像領域１１１の中心から外縁までの距離の半分の距離である。なお、ドラッグ操作においてズーム画像領域１１１ａを非表示にせず、ズーム画像領域を逐次更新しながら表示してもよい。【００６６】
ズーム画像領域１１１ｂが再表示された後、処理はＳ５に戻り、次の操作指示の入力を待つ。【００６７】
Ｓ１からＳ１１の処理が、計測処理を構成する。【００６８】
上述の第１の実施形態によれば、計測画像領域１０１とズーム画像領域１１１が表示部１４に配置され、計測画像領域１０１に対してドラッグ操作によって指示入力が可能であり、また、ズーム画像領域１１１に対してタップ操作によって指示入力が可能であり、指示入力に応じた画像領域の表示変更制御が可能である、内視鏡装置１及び内視鏡装置１の表示変更制御方法を提供可能である。【００６９】
（第１の実施形態の変形例）
第１の実施形態では、表示部１４は、計測画像領域１０１と、ズーム画像領域１１１とが重畳配置されるが、表示部１４は、ステレオ表示可能である左画像領域Ｌ１と右画像領域Ｒ１とを互いに隣り合う位置に配置し、左画像領域Ｌ１と右画像領域Ｒ１の各々に、互いに視差を有する計測画像領域１０１とズーム画像領域１１１の両方を配置させてもよい。【００７０】
図８は、本発明の第１の実施形態の変形例に係わる、内視鏡装置１におけるステレオ計測処理の例を説明する説明図である。第１の実施形態と同じ構成又は作用については、説明を省略する。【００７１】
内視鏡２の先端には、ステレオ計測用の光学アダプタ４ａが取り付けられる。光学アダプタ４ａは、２つの観察窓を有し、内視鏡２の挿入部２ａの撮像素子の撮像面に、互いに視差を有する被検体の２つの光学像を与えるように構成される。これにより、内視鏡２は、表示部１４にステレオ計測用のステレオ画像を表示可能である。【００７２】
ステレオ画像は、左画像領域Ｌ１と右画像領域Ｒ１とを有して構成される。【００７３】
左画像領域Ｌ１には、左眼画像である、左眼用計測画像領域Ｌ１１と、左眼用ズーム画像領域Ｌ１２とが表示される。右画像領域Ｒ１には、右眼画像である、右眼用計測画像領域Ｒ１１と、右眼用ズーム画像領域Ｒ１２とが表示される。左眼画像と、右眼画像とは、互いに視差を有して構成される。【００７４】
左眼用ズーム画像領域Ｌ１２は、左画像領域Ｌ１のドラッグ操作により、移動可能である。左眼用ズーム画像領域Ｌ１２のカーソルＬ１３は、左画像領域Ｌ１のタップ操作により、移動可能である。右眼用ズーム画像領域Ｒ１２は、右画像領域Ｒ１のドラッグ操作により、移動可能である。右眼用ズーム画像領域Ｒ１２のカーソルＲ１３は、右画像領域Ｒ１のタップ操作により、移動可能である。【００７５】
左画像領域Ｌ１の左眼用ズーム画像領域Ｌ１２又はカーソルＬ１３が移動されると、制御部１２は、視差に応じた右画像領域Ｒ１の右眼用ズーム画像領域Ｒ１２又はカーソルＲ１３の位置を計算し、右眼用ズーム画像領域Ｒ１２又はカーソルＲ１３を移動させる。右画像領域Ｒ１の右眼用ズーム画像領域Ｒ１２又はカーソルＲ１３が移動されると、同様に、制御部１２は、左画像領域Ｌ１の左眼用ズーム画像領域Ｌ１２又はカーソルＬ１３を移動させる。【００７６】
第１の実施形態の変形例によれば、ステレオ表示可能である左画像領域Ｌ１と右画像領域Ｒ１が表示部に配置され、各表示領域の各計測画像領域Ｌ１１、Ｒ１１に対してドラッグ操作によってズーム画像領域Ｌ１２、Ｒ１２の移動の指示入力が可能であり、また、各表示領域の各ズーム画像領域Ｌ１２、Ｒ１２に対してタップ操作によってカーソルＬ１３、Ｒ１３の移動の指示入力が可能であり、指示入力に応じた画像領域の表示変更制御が可能である内視鏡装置１及び内視鏡装置１の表示変更制御方法を提供可能である。【００７７】
（第２の実施形態）
第１の実施形態及び第１の実施形態の変形例では、本発明が、計測画像領域１０１とズーム画像領域１１１を用いる計測処理に適用される例を説明したが、本発明はライブ画像領域２０１と再生画像領域２１１とを用いる比較観察処理にも適用される。【００７８】
図９は、本発明の第２の実施形態に係わる、内視鏡装置１における比較観察処理の例を説明する説明図である。第１の実施形態及び第１の実施形態の変形例と同じ構成又は作用については、説明を省略する。【００７９】
第２の実施形態では、表示部１４に、内視鏡画像Ｔを表示する第１画像領域であるライブ画像領域２０１（図９の破線）が配置され、ライブ画像領域２０１に重ねて第２画像領域である内視鏡画像Ｔの再生画像を表示する再生画像領域２１１（図９の実線）が配置される。再生画像領域２１１は、所定の透過率によってライブ画像領域２０１を透過して表示される。所定の透過率は、例えば５０％である。【００８０】
第１画像領域であるライブ画像領域２０１に対しては、第１操作方法であるドラッグ操作によって、挿入部２ａをパン・チルトさせることによる表示変更制御がされ、第２画像領域である再生画像領域２１１に対しては、第２操作方法であるタップ操作により、再生画像領域２１１をパン方向又はチルト方向へ移動させる表示変更制御がされる。【００８１】
図９では、タービンブレードの欠けを発見できるように、欠けＤを有するタービンブレードのライブ画像領域２０１と、欠けを有さないタービンブレードの再生画像領域２１１とが表示される。【００８２】
次に、第２の実施形態の作用について説明をする。【００８３】
図１０は、本発明の第２の実施形態に係わる、内視鏡装置１における比較観察処理の流れの例を示すフローチャートである。【００８４】
制御部１２は、ライブ画像領域２０１を表示する（Ｓ１Ａ）。制御部１２は、映像信号処理回路１３に制御信号を送信する。映像信号処理回路１３は、ＣＣＵ１１から送信される撮像信号から内視鏡画像Ｔを生成し、表示部１４に内視鏡画像Ｔを含むライブ画像領域２０１（図９の破線）を表示させる。【００８５】
制御部１２は、再生画像領域２１１を表示させるか否かを判定する（Ｓ２Ａ）。Ｓ２Ａでは、図示しない操作ボタンがタッチ操作されているか否かを判定する。操作ボタンがタッチされているとき（Ｓ２Ａ：ＹＥＳ）、処理はＳ３Ａに進む。一方、操作ボタンがタッチされていないとき（Ｓ２Ａ：ＮＯ）、処理はＳ１Ａに戻る。【００８６】
制御部１２は、再生画像領域２１１を表示する（Ｓ３Ａ）。制御部１２は、ＲＯＭ１２ｂ又はメモリカード（不図示）等に記録された再生画像を読み込み、再生画像を映像信号処理回路１３に出力する。映像信号処理回路１３は、再生画像を含む再生画像領域２１１をライブ画像領域２０１に重ね配置し、図９に示すように、表示部１４に表示させる。【００８７】
制御部１２は、ＲＯＭ１２ｂから、ライブ画像領域２０１の移動量ｄｃと、再生画像領域２１１の移動量ｄｄとを読み出す（Ｓ４Ａ）。【００８８】
ライブ画像領域２０１の移動量ｄｃは、ドラッグ操作におけるタッチパネル１４ｂ上の手指の単位移動距離に応じた量である。すなわち、移動量ｄｃは、手指のタッチパネル１４ｂ上の移動距離の関数として規定される。【００８９】
再生画像領域２１１の移動量ｄｄは、タップ操作におけるタップ回数に応じた量である。すなわち、移動量ｄｄは、手指によるタッチパネル１４ｂ上のタップ回数の関数として規定される。【００９０】
制御部１２は、タッチパネル１４ｂ上の操作指示があるか否かを判定する（Ｓ５Ａ）。操作指示があるとき（Ｓ５Ａ：ＹＥＳ）、処理はＳ６Ａに進む。一方、操作指示がないとき（Ｓ５Ａ：ＮＯ）、処理はＳ５Ａに戻る。【００９１】
制御部１２は、操作指示がドラッグ操作による操作指示であるか否かを判定する（Ｓ６Ａ）。Ｓ６Ａでは、Ｓ５Ａの操作指示が、ドラッグ操作による操作指示であるか否かを判定し、ドラッグ操作であるとき（Ｓ６Ａ：ＹＥＳ）、処理はＳ７Ａに進む。一方、ドラッグ操作ではないとき（Ｓ６Ａ：ＮＯ）、処理はＳ８Ａに進む。【００９２】
制御部１２は、ライブ画像領域２０１の移動量ｄｃに基づいて、ライブ画像領域２０１の移動処理をする（Ｓ７Ａ）。Ｓ７Ａでは、ドラッグ操作によって指示される方向に、移動量ｄｃに応じた距離だけ、ライブ画像領域２０１を移動させる。【００９３】
具体的には、制御部１２は、アクチュエータ２ｃに制御信号を送信し、挿入部２ａをパン・チルト動作させ、ドラッグ操作によって指示される方向に、移動量ｄｃに応じた分だけ、ライブ画像領域２０１をスクロール移動させる。【００９４】
Ｓ７Ａの処理が終了すると、処理はＳ１０Ａに進む。【００９５】
Ｓ６Ａにおける操作指示がドラッグ操作ではないとき、制御部１２は、タップ操作による操作指示であるか否かを判定する（Ｓ８Ａ）。操作指示がタップ操作による操作指示であるとき（Ｓ８Ａ：ＹＥＳ）、処理はＳ９Ａに進む。一方、操作指示がタップ操作による操作指示ではないとき（Ｓ８Ａ：ＮＯ）、処理はＳ５Ａに戻る。【００９６】
制御部１２は、再生画像領域２１１のカーソル移動量に基づいて、カーソル移動処理をする（Ｓ９Ａ）。Ｓ９Ａでは、タップ操作によって指示される方向に、移動量ｄｄに応じた距離だけ、カーソルを移動させる。【００９７】
具体的には、制御部１２は、映像信号処理回路１３に対し、タップ操作によって指示される方向に、移動量ｄｄに応じた分だけ、再生画像領域２１１をスクロール移動させる制御信号を送信する。映像信号処理回路１３は、制御部１２からの制御信号に基づいて、スクロール移動させた再生画像領域２１１を生成し、ＬＣＤ１４ａに表示させる。【００９８】
タップ操作によって指示される方向は、再生画像領域２１１の中心とタップ操作された位置との差により定まる方向である。【００９９】
Ｓ９Ａの処理が終了すると、処理はＳ５Ａに戻り、次の操作指示の入力を待つ。【０１００】
Ｓ１ＡからＳ９Ａの処理が、比較観察処理を構成する。【０１０１】
上述の第２の実施形態によれば、ライブ画像領域２０１と再生画像領域２１１が重ねて配置され、ライブ画像領域２０１に対してドラッグ操作によって指示入力が可能であり、また、再生画像領域２１１に対してタップ操作によって指示入力が可能であり、指示入力に応じた画像領域の表示変更制御が可能である、内視鏡装置１及び内視鏡装置１の表示変更制御方法を提供可能である。【０１０２】
（第２の実施形態の変形例１）
第２の実施形態においては、ライブ画像領域２０１又は再生画像領域２１１がスクロール移動する際、制御対象の画像と、移動方向とを示す表示はされないが、制御対象の画像と、移動方向とを示す表示をさせてもよい。【０１０３】
図１１は、本発明の第２の実施形態の変形例１に係わる、内視鏡装置１における、制御対象画像領域と、移動方向とを示す移動表示画像Ｍを表示させた例を示す図である。【０１０４】
第２の実施形態の変形例１においては、制御部１２は、第１画像領域であるライブ画像領域２０１に対して表示変更制御をしているときは、表示変更制御の対象がライブ画像領域２０１であることと、ライブ画像領域２０１の移動方向とを表示部１４に表示させ、一方、第２画像領域である再生画像領域２１１に対して表示変更制御をしているときは、表示変更制御の対象が再生画像領域２１１であることと、再生画像領域２１１の移動方向とを表示部１４に表示させる。【０１０５】
具体的には、ユーザが、タッチパネル１４ｂに対してライブ画像領域２０１又は再生画像領域２１１のいずれかを移動させる指示入力をすると、ＬＣＤ１４ａの右下部に、移動表示画像Ｍが表示される。【０１０６】
移動表示画像Ｍは、例えば、ライブ画像領域２０１又は再生画像領域２１１の移動方向を示す、三角形又は矢印等を含んで構成される。【０１０７】
移動表示画像Ｍは、移動対象となる画像領域の名称（例えば、ライブ画像領域又は再生画像領域等）を含んで構成される。【０１０８】
また、三角形をライブ画像領域、矢印を再生画像領域と区別して表示させてもよい。【０１０９】
図１１においては、ユーザが、手指Ｈ３によって上方向にドラッグ操作することにより、ライブ画像領域２０１が上方向にスクロール移動し、移動表示画像Ｍとして、ライブ画像領域２０１が上方向に移動することを示す三角形と、三角形の下方に制御対象である「ライブ画像領域」の文字とが表示される。【０１１０】
この構成によれば、ＬＣＤ１４ａに、表示変更制御の対象と、移動方向とが示され、ユーザにとって分かりやすい。【０１１１】
（第２の実施形態の変形例２）
第２の実施形態及び第２の実施形態の変形例１においては、ライブ画像領域２０１と再生画像領域２１１は、重ねて配置されるが、ライブ画像領域２０１と再生画像領域２１１は、互いに隣り合う位置に配置されてもよい。【０１１２】
図１２は、本発明の第２の実施形態の変形例２に係わる、内視鏡装置１におけるライブ画像領域２０１と、再生画像領域２１１とを横に並べて配置する例を説明する説明図である。【０１１３】
第２の実施形態の変形例２は、互いに隣り合う位置に表示されるライブ画像領域２０１と再生画像領域２１１とを有して構成される。図１２では、ＬＣＤ１４ａの右側にライブ画像領域２０１を有し、ＬＣＤ１４ａの左側に再生画像領域２１１を有する。なお、ライブ画像領域２０１と、再生画像領域２１１とは左右逆に配置されても構わない。【０１１４】
ライブ画像領域２０１は、ドラッグ操作によって挿入部２ａをパン・チルト動作させることにより、スクロール移動可能である。また、再生画像領域２１１は、タップ操作により、スクロール移動可能である。【０１１５】
この構成によれば、ライブ画像領域２０１と再生画像領域２１１が互いに隣り合う位置に配置され、ライブ画像領域２０１に対してドラッグ操作によって指示入力が可能であり、また、再生画像領域２１１に対してタップ操作によって指示入力が可能であり、指示入力に応じた画像領域の表示変更制御が可能である、内視鏡装置１及び内視鏡装置１の表示変更制御方法を提供可能である。【０１１６】
（第２の実施形態の変形例３）
第２の実施形態、第２の実施形態の変形例１及び第２の実施形態の変形例２においては、ライブ画像領域２０１と再生画像領域２１１が操作可能であるが、ライブ画像領域２０１と、被検体の損傷個所を示す位置指示マーク画像領域３１１とが操作可能であってもよい。【０１１７】
図１３は、本発明の第２の実施形態の変形例３に係わる、内視鏡装置１におけるライブ画像領域２０１と、位置指示マーク画像領域３１１の例を説明する説明図である。【０１１８】
第２の実施形態の変形例３は、ライブ画像領域２０１と、位置指示マーク画像領域３１１とを有して構成される。【０１１９】
ライブ画像領域３０１は、タッチパネル１４ｂ上のドラッグ操作によって挿入部２ａをパン・チルト動作させることにより、スクロール移動可能である。【０１２０】
位置指示マーク画像領域３１１は、例えば、円形状に構成される。位置指示マーク画像領域３１１は、タップ操作により、タップ操作により指示された方向に、移動量ｄｄに応じた距離だけ、移動可能である。【０１２１】
タップ操作により指示される方向は、位置指示マーク画像領域３１１の中心と、タップ操作の位置との差によって定まる方向である。【０１２２】
移動量ｄｄに応じた距離とは、タップ回数に移動量ｄｄを乗じた距離である。【０１２３】
位置指示マーク画像領域３１１は、図示しない操作ボタン等により、ユーザから指示入力があると、ライブ画像領域３０１に固定される。これにより、ユーザは、ライブ画像領域３０１の損傷個所等に位置指示マーク画像領域３１１を配置可能である。【０１２４】
なお、位置指示マーク画像領域３１１は、テキストボックスや矢印等の図形を含むアノテーション機能を有していても構わない。【０１２５】
図１３では、ドラッグ操作により、手指Ｈ４ａを手指Ｈ４の位置に移動させることにより、位置指示マーク画像領域３１１ａを内視鏡画像Ｔの欠けＤの位置に移動させ、位置指示マーク画像領域３１１を固定させた例である。【０１２６】
この構成によれば、ライブ画像領域３０１と位置指示マーク画像領域３１１とが配置され、ドラッグ操作によってライブ画像領域３０１に対して指示入力が可能であり、また、タップ操作によって位置指示マーク画像領域３１１に対して指示入力が可能であり、指示入力に応じた画像領域の表示変更制御が可能である。【０１２７】
上述の第１の実施形態、第１の実施形態の変形例、第２の実施形態、第２の実施形態の変形例１、第２の実施形態の変形例２及び第２の実施形態の変形例３（以下「第１の実施形態等」という）によれば、少なくとも１つの内視鏡画像を表示する複数の画像領域が表示部に配置され、画像領域に応じた所定の操作方法によって指示入力部に対して指示入力が可能であり、指示入力に応じた画像領域の表示変更制御が可能である内視鏡装置及び内視鏡装置の表示変更制御方法を提供することができる。【０１２８】
なお、第１の実施形態等では、カーソル移動量ｄａ、ｄｃは、手指のタッチパネル１４ｂ上の移動距離の関数として規定されるが、タッチパネル１４ｂから手指を離したときの速度の関数として規定されてもよい。これにより、ドラッグ操作に加え、フリック操作（タッチパネル１４ｂ上を手指で弾くように滑らす操作）、スワイプ操作（タッチパネル１４ｂ上を手指で掃くように滑らす操作）によっても第１画像領域を操作可能である。【０１２９】
なお、第１の実施形態等では、カーソル移動量ｄｂ、ｄｄは、タップ回数の関数として規定されるが、タップ時間（すなわち、タッチパネル１４ｂがタッチされている合計時間）の関数として規定されてもよい。これにより、タップ操作に加え、ロングタップ操作（タッチパネル１４ｂ上を長時間タップする操作）によっても第２画像領域を操作可能である。【０１３０】
なお、第１の実施形態等では、指示入力部はタッチパネル１４ｂによって構成されるが、指示入力部は図１において２点鎖線で表されるジョイスティックＪにより構成されても構わない。その場合、第１の実施形態等における、ドラッグ操作は、ジョイスティックＪの１回あたりの傾倒時間が所定時間以上である操作に置き換えられ、また、タップ操作による指示入力は、ジョイスティックＪの１回あたりの傾倒時間が所定時間未満である操作に置き換えられてもよい。所定時間は、ジョイスティックＪの長時間の傾倒操作か、短時間の傾倒操作かを判別可能な時間に予め設定される。【０１３１】
なお、第１の実施形態等では、指示入力部はタッチパネル１４ｂにより構成されるが、指示入力部はジョイスティックＪ１により構成され、ジョイスティックＪ１によって操作が行われてもよい。【０１３２】
なお、第１の実施形態等では、制御部１２は、指示入力部に対して第１操作方法によって指示入力があったとき、指示入力に基づき、第１画像領域に対して第１表示変更制御をし、指示入力部に対して第２操作方法によって指示入力があったとき、指示入力に基づき、第２画像領域に対して第２表示変更制御をするが、制御部は、第１操作方法による指示入力に基づき表示変更制御する画像と、第２操作方法による指示入力に基づき表示変更制御する画像とを入れ替え可能に構成され、表示変更制御する画像の入れ替えがされることにより、指示入力部に対して第１操作方法による指示入力があったとき、指示入力に基づき、第２画像領域に対して第２表示変更制御をし、指示入力部に対して第２操作方法によって指示入力があったとき、指示入力に基づき、第１画像領域に対して第１表示変更制御をしても構わない。すなわち、表示変更制御する画像の入れ替えがあったとき、第１の実施形態及び第１の実施形態の変形例において、ドラッグ操作によってズーム画像領域１１１が操作され、タップ操作によって計測画像領域１０１が操作されても構わない。また、第２の実施形態、第２の実施形態の変形例１及び第２の実施形態の変形例２において、ドラッグ操作によって再生画像領域２１１が操作され、タップ操作によって、ライブ画像領域２０１が操作されても構わない。また、第２の実施形態の変形例３において、ドラッグ操作によって位置指示マーク画像領域３１１が操作され、タップ操作によってライブ画像領域３０１が操作されても構わない。また、第２の実施形態の変形例３において、ライブ画像領域２０１ではなく、再生画像領域画像領域２１１上で位置指示マーク画像領域３１１を操作しても構わない。【０１３３】
なお、第１画像領域と第２画像領域は、１つのＬＣＤ１４ａによって表示されても構わないし、複数のＬＣＤ１４ａによって表示されても構わない。【０１３４】
なお、第２の実施形態の変形例２においては、移動表示画像Ｍを表示することにより制御対象画像領域と、移動方向とを示しているが、カーソルの軌跡等を表示させることによって制御対象画像領域と、移動方向とを示してもよい。【０１３５】
本発明は、上述した実施の形態に限定されるものではなく、本発明の要旨を変えない範囲において、種々の変更、改変等が可能である。【０１３６】
本発明によれば、少なくとも１つの内視鏡画像を表示する複数の画像領域が表示部に配置され、画像領域に応じた所定の操作方法によって指示入力部に対して指示入力が可能であり、指示入力に応じた画像領域の表示変更制御が可能である内視鏡装置及び内視鏡装置の表示変更制御方法を提供することができる。【０１３７】
本出願は、２０１５年９月３日に日本国に出願された特願２０１５−１７３９６６号を優先権主張の基礎として出願するものであり、上記の開示内容は、本願明細書、請求の範囲に引用されるものとする。
【図１】
2017038321.tif 000003
【図２】
2017038321.tif 000004
【図３】
2017038321.tif 000005
【図４】
2017038321.tif 000006
【図５】
2017038321.tif 000007
【図６】
2017038321.tif 000008
【図７】
2017038321.tif 000009
【図８】
2017038321.tif 000010
【図９】
2017038321.tif 000011
【図１０】
2017038321.tif 000012
【図１１】
2017038321.tif 000013
【図１２】
2017038321.tif 000014
【図１３】
2017038321.tif 000015
【国際調査報告】
2017038321.tif 000016
2017038321.tif 000017
2017038321.tif 000018
2017038321.tif 000019